(57)【要約】【課題】  無線アクセスシステムの切替情報受信装置がハンドオーバを実行し、移動後に接続するアクセスポイントを探索する際の接続の切断により生じるデータの損失を防止することを目的とする。【解決手段】  切替情報送信装置２は、アクセスポイント情報を収集する情報収集手段２１と、収集したアクセスポイント情報を切替情報受信装置５へ送信する情報送信手段２２とから構成される。切替情報受信装置は、切替情報送信装置２が送信したパケットを受信する情報受信手段と、アクセスポイント情報テーブルからアクセスポイント情報を選択する情報選択手段と、選択したアクセスポイント情報を無線アクセスシステムデバイスに設定する情報設定手段と、無線アクセスシステムデバイスとから構成される。【選択図】      図２
2005252619.tif 000002
【特許請求の範囲】
【請求項１】
切替先情報送信装置が担当する領域内のアクセスポイントと切替先情報受信装置とを無線回線を介して接続する無線アクセスシステムにおいて、
ハンドオーバを実行した後に接続する可能性のあるアクセスポイントに関する情報を、前記ハンドオーバに先立って、前記切替先情報受信装置へ通知する切替先情報通知方法であって、
前記切替先情報送信装置が、担当する領域および近隣の切替先情報送信装置が担当する領域から収集したアクセスポイントに関する情報を前記切替先情報受信装置に送信する手順と、
移動に伴いアクセスポイントとの接続を切り替える切替先情報受信装置が、受信したアクセスポイントに関する情報を用いて、新たに接続するアクセスポイントを特定し、接続を切り替える手順と
を実行することを特徴とする切替先情報通知方法。
【請求項２】
前記アクセスポイントに関する情報は、
前記切替先情報送信装置が、収集したアクセスポイント情報から作成したアクセスポイント情報テーブルであるか、
または、前記切替先情報送信装置が、前記アクセスポイント情報テーブルの中から最適と予測したアクセスポイントのアクセスポイント情報であること
を特徴とする請求項１に記載の切替先情報通知方法。
【請求項３】
前記切替先情報受信装置が、
前記切替先情報送信装置から受信した前記アクセスポイント情報テーブルの中から、最適と予測したアクセスポイントのアクセスポイント情報を選択すること
を特徴とする請求項２に記載の切替先情報通知方法。
【請求項４】
前記最適と予測したアクセスポイントのアクセスポイント情報の選択は、
前記切替先情報受信装置が収集した情報にもとづいて行われること
を特徴とする請求項３に記載の切替先情報通知方法。
【請求項５】
前記切替先情報受信装置が収集した情報は、
前記切替先情報受信装置の位置情報であること
を特徴とする請求項４に記載の切替先情報通知方法。
【請求項６】
切替先情報送信装置が担当する領域内のアクセスポイントと切替先情報受信装置とを無線回線を介して接続する無線アクセスシステムにおいて、
前記アクセスポイントに関する情報を収集して前記切替先情報受信装置に送信する切替先情報送信装置であって、
担当する領域および近隣の切替先情報送信装置が担当する領域からアクセスポイントに関する情報を収集する情報収集手段と、
前記アクセスポイントに関する情報を切替先情報受信装置へ送信する情報送信手段と
を備えることを特徴とする切替先情報送信装置。
【請求項７】
切替先情報送信装置が担当する領域内のアクセスポイントと切替先情報受信装置とを無線回線を介して接続する無線アクセスシステムにおいて、
移動に伴いアクセスポイントとの接続を切り替える切替先情報受信装置であって、
前記切替先情報送信装置からアクセスポイントに関する情報を受信する情報受信手段と、
受信したアクセスポイントに関する情報から前記アクセスポイントを特定する情報選択手段と、
特定したアクセスポイントを前記切替先情報受信装置が備える無線アクセスデバイスに設定する情報設定手段と
を備えることを特徴とする切替先情報送信装置。
【請求項８】
請求項１から請求項５のいずれか一項に記載の切替先情報通知方法をコンピュータに実行させることを特徴とする切替先情報通知プログラム。
【請求項９】
請求項１から請求項５のいずれか一項に記載の切替先情報通知方法をコンピュータに実行させるプログラムを記録したコンピュータに読み取り可能な記録媒体。
【発明の詳細な説明】
【技術分野】
【０００１】
本発明は、無線アクセスシステムにおいて切替先情報受信装置が移動して接続するアクセスポイントを切り替えるハンドオーバを実行する際に、事前に切替先情報受信装置に対して、切替先のアクセスポイントの情報を通知する切替先情報通知方法、切替先情報通知方法を実行する切替先情報送信装置と切替先情報受信装置、切替先情報通知方法をコンピュータに実行させる切替先情報通知プログラム、切替先情報通知プログラムを記録した記録媒体に関する。
【背景技術】
【０００２】
近年、ホットポイントに代表される無線アクセスシステムを用いた公衆無線アクセスサービスが普及している。無線アクセスシステムは、例えば、図８に示すように、ネットワーク８１の一部を構成するアクセスポイント（後に説明する）８２と、アクセスポイント８２との間で無線回線を介して通信を行う端末８３により構成される。端末８３は、移動し接続するアクセスポイントを切り替えることができる。なお、図８においては、アクセスポイント８２は２箇所、端末８３は３台を記載しているが、数はこれに限定されるものではない。
【０００３】
代表的な無線アクセスシステムに、無線ＬＡＮがある。無線ＬＡＮの仕様は、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  ）によりＩＥＥＥ８０２．１１として標準化が進められている（非特許文献１を参照）。また、ＩＥＥＥ８０２．１６やＩＥＥＥ８０２．２０としても標準化が進められている。ＩＥＥＥ８０２．１１によると、端末はアクセスポイントと接続し、無線回線により通信を行うことができ、また、接続しているアクセスポイントと同一のネットワークのアクセスポイントであれば、端末は問題なくハンドオーバを実行することができる。しかし、接続しているアクセスポイントが構成するネットワークとは異なるネットワークのアクセスポイントへのハンドオーバについては規定されていない。このため、端末が移動し異なるネットワークのアクセスポイントへのハンドオーバを行うと、接続が切断され、通信が途切れるという問題を生じる。
【０００４】
この問題を解決する方法として、無線ＬＡＮを含む各種無線アクセス方式に適用可能な通信が途切れない（シームレス）ハンドオーバの実現方法である、モバイルＩＰを改良したＦＭＩＰ（Ｆａｓｔ  Ｈａｎｄｏｖｅｒｓ  ｆｏｒ  Ｍｏｂｉｌｅ  ＩＰｖ６）が提案されている。ＦＭＩＰは、端末が移動し異なるネットワーク間でハンドオーバを行った際に、データが損失することを防止するための方法であり、ハンドオーバの開始をきっかけとして、損失する可能性のあるデータをメモリに記憶し、ハンドオーバを実行した後、それを読み出して端末へ送信することにより、データ損失のないシームレスな通信を実現する。
【０００５】
ところで、端末は、ハンドオーバを実行する際には、元のアクセスポイントとの接続を切断した後、移動後に接続するアクセスポイントを探索して、発見後、そのアクセスポイントに接続するという手順を行う必要がある。このため、ハンドオーバの実行が、データの伝送と重なった場合、通信回線は切断されていることから、データは失われることとなる。
【非特許文献１】“IEEE Std 802.11,1999 Edition(R2003)(ISO/IEC8802-11:1999)IEEE Standard for Information Technology- Telecommunications and Information Exchange between Systems- Local and Metropolitan Area Network- Specific Requirements- Part 11:Wireless LAN Medium Access Control(MAC) and Physical Layer (PHY) Specifications”
【非特許文献２】“Fast Handover for Mobile IPv6(draft-ietf-mipshop-fast-mipv6-00.txt)”、Rajeev Koodli、2003年10月
【発明の開示】
【発明が解決しようとする課題】
【０００６】
しかしながら、ハンドオーバを実行した際に生じるデータ損失の問題を解決するはずのＦＭＩＰは、このような端末が移動し異なるネットワークのアクセスポイントに接続を切り替えるハンドオーバを実行する際の、新たに接続するアクセスポイントを探索する間に生じるデータ損失の問題の解決方法については規定していない。ＦＭＩＰが規定しているのは、ハンドオーバによる接続の切断により生じるデータ損失の解決方法である。このため、前記したような無線ＬＡＮの端末が移動後に接続するアクセスポイントを探索している間に生じるデータ損失の問題は、ＦＭＩＰでは解決することができない。
【０００７】
本発明では、このような問題を鑑みてなされたものであり、無線ＬＡＮを含む無線アクセスシステムの端末がハンドオーバを実行し、移動後に接続するアクセスポイントを探索する間の接続の切断により生じるデータの損失を防止することを目的とする。
【課題を解決するための手段】
【０００８】
前記した課題を解決するため、本発明では、以下のような方法、装置、プログラム及びプログラムを記録した記録媒体を用いることとした。
【０００９】
請求項１に記載の発明では、切替先情報送信装置が、担当する領域および近隣の切替先情報送信装置が担当する領域から収集したアクセスポイントに関する情報を切替先情報受信装置に送信し、移動に伴いアクセスポイントとの接続を切り替える切替先情報受信装置が、受信したアクセスポイントに関する情報を用いて、新たに接続するアクセスポイントを選択し、接続を切り替えることとした。
【００１０】
切替先情報送信装置は、自分が担当する接続領域内のアクセスポイントのアクセスポイント情報はもとより、近隣の切替先情報送信装置とも通信を行い、近隣の切替先情報送信装置が担当するアクセスポイントのアクセスポイント情報を収集し、アクセスポイントに関する情報に加工して切替先情報受信装置へ定期的に送信する。また、切替先情報受信装置は、アクセスポイント情報を受信し、無線アクセスデバイスへ予め設定しておくことにより、ハンドオーバを行う際に、新たなアクセスポイントを探索することなく、接続の切替を行う。
【００１１】
請求項２に記載の発明では、アクセスポイントに関する情報は、切替先情報送信装置が収集したアクセスポイント情報から作成したアクセスポイント情報テーブルであるか、または、切替先情報送信装置がアクセスポイント情報テーブルの中から最適と予測したアクセスポイントのアクセスポイント情報であることとした。
【００１２】
アクセスポイント情報テーブルをアクセスポイントに関する情報として切替先情報受信装置へ送れば、切替先情報受信装置はその中から自らの判断でアクセスポイント情報を選択する。また、切替先情報送信装置がアクセスポイント情報テーブルの中からアクセスポイント情報を選択し切替先情報受信装置へ送れば、切替先情報受信装置は、受信したアクセスポイント情報をそのまま利用する。
【００１３】
請求項３に記載の発明では、切替先情報受信装置が、切替先情報送信装置から受信したアクセスポイント情報テーブルの中から、最適と予測したアクセスポイントのアクセスポイント情報を選択することこととした。
【００１４】
切替先情報受信装置は、自らの判断で最適と予測されるアクセスポイントを選択する。
【００１５】
請求項４に記載の発明では、最適と予測したアクセスポイントのアクセスポイント情報の選択は、切替先情報受信装置が収集した情報にもとづいて行われることこととした。
【００１６】
切替先情報受信装置は、自ら収集した情報を用いて最適と予測されるアクセスポイントを選択する。
【００１７】
請求項５に記載の発明では、切替先情報受信装置が収集した情報は、切替先情報受信装置の位置情報であることこととした。
【００１８】
切替先情報受信装置は、自ら収集した情報として自分の位置情報を利用する。
【００１９】
請求項６に記載の発明では、切替先情報送信装置は、担当する領域および近隣の切替先情報送信装置が担当する領域からアクセスポイントに関する情報を収集する情報収集手段と、アクセスポイントに関する情報を切替先情報受信装置へ送信する情報送信手段とを備えることとした。
【００２０】
切替先情報送信装置は、情報収集手段と情報送信手段により切替先情報通知方法を実現する。
【００２１】
請求項７に記載の発明では、切替先情報受信装置は、切替先情報送信装置からアクセスポイントに関する情報を受信する情報受信手段と、受信したアクセスポイントに関する情報からアクセスポイントを特定する情報選択手段と、特定したアクセスポイントを切替先情報受信装置が備える無線アクセスデバイスに設定する情報設定手段とを備えることとした。
【００２２】
切替先情報受信装置は、情報受信手段と情報選択手段と情報設定手段とにより切替先情報通知方法を実現する。
【００２３】
請求項８に記載の発明では、請求項１から請求項５のいずれか一項に記載の切替先情報通知方法をコンピュータに実行させることとした。
【００２４】
請求項９に記載の発明では、請求項１から請求項５のいずれか一項に記載の切替先情報通知方法をコンピュータに実行させるプログラムを、コンピュータに読み取り可能な記録媒体に記録することとした。
【発明の効果】
【００２５】
請求項１に記載の発明によれば、切替先情報通知方法により、切替先情報受信装置は、切替先情報送信装置から受信したアクセスポイントに関する情報より、ハンドオーバ実行後に接続することが予測されるアクセスポイントを、予め知ることができる。その結果、切替先情報受信装置はハンドオーバの実行後に新たに接続するアクセスポイントを探索する必要がなくなり、探索する際の接続の切断により生じるデータの損失を防止することが可能となる。
【００２６】
請求項２に記載の発明によれば、アクセスポイントに関する情報として、切替先情報送信装置が収集したアクセスポイント情報から作成したアクセスポイント情報テーブルか、または、アクセスポイント情報テーブルの中から最適と予測したアクセスポイントのアクセスポイント情報を用いることができる。これにより、切替先情報送信装置にアクセスポイントを予測する機能を持たせない場合と持たせた場合とを実現することが可能となる。
【００２７】
請求項３に記載の発明によれば、切替先情報受信装置が、最適と予測したアクセスポイントを選択できる。また、これにより切替先情報受信装置にアクセスポイントを予測する機能を持たせることができる。
【００２８】
請求項４に記載の発明によれば、切替先情報受信装置は、自分が収集した情報を用いて、最適と予想されるアクセスポイントを選択することができる。これにより、切替先情報受信装置は、アクセスポイントの選択を自ら行うことが可能となる。
【００２９】
請求項５に記載の発明によれば、切替先情報受信装置は、最適と予想されるアクセスポイントの選択に用いる収集した情報として、自分の位置情報を利用することができる。
【００３０】
請求項６に記載の発明によれば、切替先情報送信装置は、アクセスポイントに関する情報の収集とアクセスポイントに関する情報の切替先情報受信装置へ送信とを実行することが可能となる。これにより切替先情報送信装置は、切替先情報通知方法を実現することができる。
【００３１】
請求項７に記載の発明によれば、切替先情報受信装置は、切替先情報送信装置からのアクセスポイントに関する情報の受信と、受信したアクセスポイントに関する情報を用いたアクセスポイントの特定と、特定したアクセスポイントの切替先情報受信装置が備える無線アクセスデバイスへの設定が可能となる。これにより切替先情報受信装置は、切替先情報通知方法を実現することができる。
【００３２】
請求項８に記載の発明によれば、切替先情報通知方法のプログラムをコンピュータに実行させることが可能となる。
【００３３】
請求項９に記載の発明によれば、切替先情報通知プログラムを記録媒体に記録し、これをコンピュータに読み込ませることにより、任意のコンピュータ上で切替先情報通知方法を実行することが可能となる。
【発明を実施するための最良の形態】
【００３４】
次に、発明の実施形態について、図面を参照しながら詳細に説明する。
［第１の実施形態］
第１の実施形態として、切替先情報受信装置が、提供されたアクセスポイント（以後、「ＡＰ」と略称する）情報テーブルの中から接続先として最適であると予想されるＡＰのＡＰ情報を予め選択する場合について説明する。
【００３５】
図１は、本発明の第１の実施形態に係るネットワークシステムの構成図である。ネットワークシステムは、ＩＰネットワーク１と、サブネットワーク３内に設置される切替先情報送信装置２と、ＩＰネットワーク１から分岐した局所的なネットワークであるサブネットワーク３と、切替先情報受信装置５と無線アクセスシステムの無線回線を介して接続するＡＰ４と、無線アクセスシステムの無線回線を介してＡＰ４と接続する切替先情報受信装置５と、ＩＰネットワーク１とサブネットワーク３を接続するルータ６とから構成される。
【００３６】
切替先情報送信装置２は、独立した装置としても良いが、その機能をハードウェアやソフトウェアにより実現し、ルータやサーバ等の従来のネットワーク装置内に組み込むことにより、実現することも可能である。また、切替先情報受信装置５は、その機能をハードウェアやソフトウェアにより実現し、端末や無線ＬＡＮ機能を備えたルータに組み込むことにより、実現することも可能である。
【００３７】
図１の中では、切替先情報送信装置２を個別に切替先情報送信装置２ａ、切替先情報送信装置２ｂとも、サブネットワーク３を個別にサブネットワーク３ａ、サブネットワーク３ｂとも、ＡＰ４を個別にＡＰ４ａ、ＡＰ４ｂとも、切替先情報受信装置５を個別に切替先情報受信装置５ａ、切替先情報受信装置５ａ’、切替先情報受信装置５ｂ、切替先情報受信装置５ｃとも、ルータ６を個別にルータ６ａ、ルータ６ｂとも表記している。
【００３８】
ＩＰネットワーク１は、通信プロトコルとしてＴＣＰ／ＩＰ（正確にはＴＣＰ／ＩＰプロトコル群、以下、同じ）を用いてＩＰパケットを伝送する、インターネットに代表される通信ネットワークである。
【００３９】
切替先情報送信装置２は、切替先情報通知方法のＡＰ情報の収集とＡＰ情報テーブルの作成、切替先情報受信装置５へのＡＰ情報またはＡＰ情報テーブルの送信を行う。
【００４０】
サブネットワーク３は、ＩＰネットワークから分かれた局所的なネットワークとして構成され、切替先情報送信装置２とＡＰ４やルータ６をそれぞれ接続する。
【００４１】
ＡＰ４は、サブネットワーク３の一部を構成し、無線アクセスシステムの切替先情報受信装置からネットワークへの接続点となる。
【００４２】
切替先情報受信装置５は、例えば、その機能をソフトウェアにより実現し、ユーザが端末として利用するパーソナルコンピュータやインターネットアプライアンスなどに組み込むことにより実現される。また、無線アクセスシステムを利用するための無線アクセスデバイス５０を備えている。切替先情報受信装置５は、移動することにより接続先のＡＰを切り替えるハンドオーバを行う。
【００４３】
ルータ６は、ＩＰネットワーク１の一部を構成しており、通信プロトコルとしてＴＣＰ／ＩＰのＩＰｖ４やＩＰｖ６を実装し、ＯＳＩ（Ｏｐｅｎ  Ｓｙｓｔｅｍ  Ｉｎｔｅｒｃｏｎｎｅｃｔｉｏｎ）プロトコル階層のネットワーク層において、送られてきたＩＰパケットを送信先へ転送する。
【００４４】
図２に切替先情報送信装置２の構成を示す。切替先情報送信装置２は、ＡＰ情報を収集する情報収集手段２１と、収集したＡＰ情報を切替先情報受信装置５へ送信する情報送信手段２２とから構成される。
【００４５】
情報収集手段２１は、切替先情報送信装置２が担当するＡＰ４のＡＰ情報や、近隣にある切替先情報送信装置２が担当するＡＰ４のＡＰ情報を予め自動的に収集し、または、人手によって収集したＡＰ情報を入力して、アクセスポイント情報テーブル（以後、「ＡＰ情報テーブル」と略称する）を作成する。
【００４６】
ＡＰ情報には、例えば、無線ＬＡＮにおいてＡＰと端末を識別するための情報であるＥＳＳＩＤ、ＢＳＳＩＤ（実体はＭＡＣアドレス）、通信チャネル、ＡＰが接続する端末のＩＰアドレス等を利用できる。
【００４７】
情報送信手段２２は、情報収集手段２１が作成したＡＰ情報テーブルを読み出し、パケットを用いてカプセル化し、切替先情報受信装置５に対して、マルチキャストにより定期的に送信する。
【００４８】
図３に切替先情報受信装置５の構成を示す。切替先情報受信装置５は、切替先情報送信装置２の情報送信手段２２が送信したＡＰ情報を格納したパケットを受信する情報受信手段５１と、ＡＰ情報テーブルからＡＰ情報を選択する情報選択手段５２と、選択したＡＰ情報を無線アクセスデバイス５４に設定する情報設定手段５３と、切替先情報受信装置５が無線アクセスシステムを利用できるようにする無線アクセスデバイス５４とから構成される。
【００４９】
情報受信手段５１は、切替先情報送信装置２の情報送信手段２２からパケットを受信し、その中からカプセル化されているＡＰ情報テーブルを取り出す。
【００５０】
情報選択手段５２は、情報受信手段５１が取り出したＡＰ情報テーブルからＡＰ情報を選択する。
【００５１】
情報設定手段５３は、情報選択手段５２が選択したＡＰ情報を無線アクセスデバイス５４に設定する。
【００５２】
無線アクセスデバイス５４は、無線アクセスシステムを利用する際に、パーソナルコンピュータ等に実装する無線アクセスシステム用ボードや無線アクセスシステム用ＰＣＩカードなどであり、無線アクセスシステムを利用する際に必要となる一般的な機器である。
【００５３】
次に、図４に示すシーケンスチャートを用いて、切替先情報通知方法を実現する切替先情報送信装置と切替先情報受信装置の動作を説明する。なお、適宜、図１〜図３を参照する。
【００５４】
切替先情報受信装置５ａは、移動しながらＡＰ４ａと通信を行っている。それと共に切替先情報受信装置５ａは、備えられている自分の位置を検知する機能（図示せず）を用いて、自分の現在位置を把握する（ステップＳ１００）。
【００５５】
切替先情報送信装置２ａの情報収集手段２１は、切替先情報送信装置２ａの管理下にあるＡＰ情報や、近隣にある切替先情報送信装置２ｂ等の管理下にあるＡＰ情報を収集し、ＡＰ情報テーブルを作成する（ステップＳ１０１）。なお、ステップＳ１００とステップＳ１０１は順序が逆でも差し支えない。情報送信手段２２は、ＡＰ情報テーブルをパケットを用いてカプセル化し、マルチキャストにより、定期的に切替先情報受信装置５ａへ送信する（ステップＳ１０２）。
【００５６】
切替先情報受信装置５ａの情報受信手段５１は、切替先情報送信装置２ａの情報送信手段２２が送信したパケットを受信し、その中にカプセル化されているＡＰ情報テーブルを取り出して、提示する（ステップＳ１０３）。
【００５７】
切替先情報受信装置５ａの情報選択手段５２は、情報受信手段５１が提示しているＡＰ情報テーブルの中から、把握している自分の位置情報にもとづいて、接続するＡＰ４を切り替えるハンドオーバを実行した後に接続先として最適であると予想されるＡＰ４のＡＰ情報を選択しておく（ステップＳ１０４）。
【００５８】
切替先情報受信装置５ａは、従来から備える機能を用いて、移動に伴う電波強度の低下や伝送誤りの増加等を検出し、現在接続しているＡＰ４ａとの無線回線の状態の悪化を検知した場合、それを契機として、従来より備える通信機能を用いて、ルータ６ａに対して、データの伝送の停止を要求する信号を送信する（ステップＳ１０５）。
【００５９】
切替先情報受信装置５ａからデータの伝送の停止を要求する信号を受信したルータ６ａは、データの送信を停止し、今後、切替先情報受信装置５ａに送信するデータを一時的に記憶する（ステップＳ１０６）。
【００６０】
切替先情報受信装置５ａの情報設定手段５３は、ルータ６ａからのデータの送信の停止を確認すると、ハンドオーバの実行時に、接続先として最適であると予想されるＡＰ４ｂのＡＰ情報を無線アクセスデバイス５４に設定し、接続先のＡＰの切り替えを行う（ステップＳ１０７）。切替先情報受信装置５ａは、通常の手段を用いて新たなＡＰ４ｂと接続を行い切替先情報受信装置５ａ’となる（ステップＳ１０８）。切替先情報受信装置５ａ’は、ルータ６ａに対してデータの送信の再開を要求する（ステップＳ１０９）。
【００６１】
ルータ６ａは、切替先情報受信装置５ａ’からのデータ送信再開の要求を受けて、一時的に記憶してあった切替先情報受信装置５ａ’へ送信するデータを読み出し、ルータ６ｂとＡＰ４ｂを介して、順次、切替先情報受信装置５ａ’へ送信して、通信を再開する（ステップＳ１１０）。
【００６２】
以上、第１の実施形態として、切替先情報送信装置が切替先情報受信装置に対して定期的にＡＰ情報テーブルを提供し、切替先情報受信装置が、予め、提供されたＡＰ情報テーブルの中から接続先として最適であると予想されるＡＰのＡＰ情報を選択し、ハンドオーバ実行後、選択したＡＰ情報を無線アクセスデバイスに設定する方法について説明した。
【００６３】
これにより、切替先情報受信装置は、ハンドオーバに先立って新しい接続先であるＡＰのＡＰ情報を設定することができ、ハンドオーバを実行する際には、新しいを接続先のＡＰを探索することなく、接続を切り替えることができる。その結果、新しいを接続先のＡＰを探索する間に生じていた回線の切断に伴うデータの損失を未然に防止することができ、回線の切り替えに伴い生じるデータの損失のみを、ＦＭＩＰを用いて保護すればよいことになる。
【００６４】
［第２の実施形態］
第２の実施形態として、切替先情報送信装置が、ハンドオーバ後に切替先情報受信装置が接続するのに最適なＡＰを動的に予測し、そのＡＰ情報を切替先情報受信装置に通知する場合について説明する。
【００６５】
ネットワークシステムの構成は、第１の実施形態の図１で示した構成と同じである。また、各装置やネットワークの機能も同じである。また、図５に切替先情報送信装置２の構成を示す。各手段の機能は、第１の実施形態で示したものと同じである。図６に切替先情報受信装置５の構成を示す。各手段の機能は、第１の実施形態で示したものと同じである。以上より、第２の実施形態の構成については、第１の実施形態と同じ符号を付して、説明を省略する。
【００６６】
図７に示すシーケンスチャートを用いて、第２の実施形態における、切替先情報通知方法を実現する切替先情報送信装置と切替先情報受信装置の動作を説明する。なお、ここでも、適宜、図１、図５、図６を参照する。
【００６７】
切替先情報受信装置５ａは、移動しながら、ＡＰ４ａと通信を行っている。
【００６８】
切替先情報送信装置２ａの情報収集手段２１は、近隣のネットワークの情報（輻輳情報等）を収集し、それにもとづき切替先情報受信装置５ａにとって最適なＡＰ４を動的に予測し、そのＡＰ情報を収集する（ステップＳ２００）。ここで「動的」とは、近隣のネットワークの情報が変化する都度、最適なＡＰ４が変わり、そのＡＰ情報が変化することを意味する。情報送信手段２２は、情報収集手段２１が収集したＡＰ情報をパケットを用いてカプセル化し、切替先情報受信装置５ａへ送信する（ステップＳ２０１）。
【００６９】
切替先情報受信装置５ａの情報受信手段５１は、切替先情報送信装置２ａの情報送信手段２２が送信したパケットを受信し、その中にカプセル化されているＡＰ情報を取り出して保存しておく（ステップＳ２０２）。
【００７０】
切替先情報受信装置５ａは、従来から備える機能を用いて、移動に伴う電波強度の低下や伝送誤りの増加等を検出し、現在接続しているＡＰ４ａとの無線回線の状態の悪化を検知した場合、それを契機として、従来より備える通信機能を用いて、ルータ６ａに対して、データの伝送の停止を要求する信号を送信する（ステップＳ２０３）。
【００７１】
切替先情報受信装置５ａからデータの伝送の停止を要求する信号を受信したルータ６ａは、データの送信を停止し、今後、切替先情報受信装置５ａに送信するデータを一時的に記憶する（ステップＳ２０４）。
【００７２】
切替先情報受信装置５ａの情報設定手段５３は、ルータ６ａからのデータの送信の停止を確認すると、ハンドオーバを実行時に、情報受信手段５１が保存しているＡＰ情報を無線アクセスデバイス５４に設定し、接続先のＡＰ４の切り替えを行う（ステップＳ２０５）。切替先情報受信装置５ａは、通常の手段を用いて新たなＡＰ４ｂと接続を行い切替先情報受信装置５ａ’となる（ステップＳ２０６）。切替先情報受信装置５ａ’は、ルータ６ａに対してデータの送信の再開を要求する（ステップＳ２０７）。
【００７３】
ルータ６ａは、切替先情報受信装置５ａ’からのデータ送信再開の要求を受けて、一時的に記憶してあった切替先情報受信装置５ａ’へ送信するデータを読み出し、ルータ６ｂとＡＰ４ｂを介して、順次、切替先情報受信装置５ａ’へ送信し、通信を再開する（ステップＳ２０８）。
【００７４】
以上、第２の実施形態として、切替先情報送信装置が、ハンドオーバ後に切替先情報受信装置が接続するのに最適のＡＰを動的に予測し、そのＡＰ情報を切替先情報受信装置に通知する場合について説明した。
【００７５】
これにより、切替先情報受信装置は、ハンドオーバに先立って新しい接続先であるＡＰのＡＰ情報を設定することができ、ハンドオーバを実行する際には、新しいを接続先のＡＰを探索することなく、接続を切り替えることができる。その結果、新しいを接続先のＡＰを探索する間に生じていた回線の切断に伴うデータの損失を未然に防止することができ、回線の切り替えに伴い生じるデータの損失のみを、ＦＭＩＰを用いて保護すればよいことになる。
【図面の簡単な説明】
【００７６】
【図１】本発明の第１の実施形態に係るネットワークシステムの構成図である。
【図２】本発明の第１の実施形態に係る切替先情報送信装置の構成図である。
【図３】本発明の第１の実施形態に係る切替先情報受信装置の構成図である。
【図４】本発明の第１の実施形態に係る切替先情報通知方法を用いた切替先情報送信装置と切替先情報受信装置の動作を示すシーケンスチャートである。
【図５】本発明の第２の実施形態に係る切替先情報送信装置の構成図である。
【図６】本発明の第２の実施形態に係る切替先情報受信装置の構成図である。
【図７】本発明の第２の実施形態に係る切替先情報通知方法を用いた切替先情報送信装置と切替先情報受信装置の動作を示すシーケンスチャートである。
【図８】無線アクセスシステムの構成を示す図である。
【符号の説明】
【００７７】
１                                      ＩＰネットワーク
２（２ａ、２ｂ）                        切替先情報送信装置
２１                                    情報収集手段
２２                                    情報送信手段
３（３ａ、３ｂ）                        サブネットワーク
４（４ａ、４ｂ）                        アクセスポイント（ＡＰ）
５（５ａ、５ａ’、５ｂ、５ｃ）          切替先情報受信装置
５１                                    情報受信手段
５２                                    情報選択手段
５３                                    情報設定手段
５４                                    無線アクセスデバイス
６（６ａ、６ｂ）                        ルータ
【図１】
2005252619.tif 000003
【図２】
2005252619.tif 000004
【図３】
2005252619.tif 000005
【図４】
2005252619.tif 000006
【図５】
2005252619.tif 000007
【図６】
2005252619.tif 000008
【図７】
2005252619.tif 000009
【図８】
2005252619.tif 000010